(57)【要約】【課題】軸筒から先口を取り外すことなく、使用者の好みによって把持した際の把持感触を容易に変更可能な筆記具を提供すること。【解決手段】前部に先口８を係止した軸筒２と、先口８の前端開口部８ａから前端部が突出する筆記体３と、軸筒２の外周部に配設された把持体７と、を備え、把持体７が円筒状の把持部１５と、把持部１５を固定する固定部７ｆとを有し、軸筒２の外面に把持体７が装着される装着部９ｂが形成されると共に、装着部９ｂに固定部７ｆに形成された係止部（７ｃ，７ｅ）と係止する被係止部９ｃが形成され、軸筒２に対して把持体７を前後両方向から着脱自在に構成する。【選択図】図２
2020001350.tif 000002
【特許請求の範囲】
【請求項１】
軸筒と該軸筒の前部に係止された先口とを有し、前記軸筒の内部に配設され前記先口の前端開口部から前端部が突出する筆記体と、前記軸筒の外周部に配設された把持体と、を備えた筆記具であって、
前記把持体が円筒状の把持部と、前記把持部を固定する固定部とを有し、
前記軸筒の外面に、前記把持体が装着される装着部が形成されると共に、前記装着部に前記把持体の固定部に形成された係止部と係止する被係止部が形成され、
前記先口と前記軸筒とを係止させた状態で、前記先口と前記軸筒とが前記把持体の一方の開口部側から挿入され、前記軸筒の被係止部と前記把持体の係止部とを係止することで前記把持体を前記軸筒に対して着脱自在に構成すると共に、前記軸筒の被係止部と前記把持体の係止部との係止状態を解除して前記把持体を前記軸筒から取り外し、前記先口と前記軸筒とを前記把持体の他方の開口部側から挿入して前記軸筒の被係止部と前記把持体の係止部とを着脱自在に係止することで、前記軸筒に対して前記把持体を前後両方向から着脱可能に構成したことを特徴とする筆記具。
【請求項２】
前記把持体の把持部の少なくとも一部がゴム弾性を有する合成樹脂で形成されると共に、前記把持体の固定部が複数の部材で構成され、前記把持部を複数の前記固定部で狭持して固定するよう構成したことを特徴とする請求項１に記載の筆記具。
【請求項３】
前記把持体の固定部に形成する係止部を前後に分けて形成すると共に、前後それぞれの係止部と前記軸筒の装着部に形成した被係止部とを係止可能としたことを特徴とする請求項１または２に記載の筆記具。
【請求項４】
前記把持体の係止部と前記軸筒の被係止部とを螺合により係止したことを特徴とする請求項１ないし３の何れか１項に記載の筆記具。
【請求項５】
前記把持体の前後方向を逆にして前記軸筒に装着することで前記筆記具の重心位置が軸筒の軸方向に沿って前後に移動するよう構成したことを特徴とする請求項１ないし４の何れか１項に記載の筆記具。
【請求項６】
前記固定部を構成する複数の部材の内、少なくとも１部品以上が金属材料で形成されていることを特徴とする請求項２ないし５の何れか１項に記載の筆記具。
【発明の詳細な説明】
【技術分野】
【０００１】
本発明は、筆記具に関するものであり、特に軸筒を取り囲む把持体を備えた筆記具に関するものである。
【背景技術】
【０００２】
従来から、筆記具は、筆記時の疲労を軽減することや、筆記具を把持した際に滑らないよう把持部の形状や材質、形成する方法に工夫がなされてきた。把持部の形成方法としては、軸筒の外周面に形成した取付部に把持部を有する把持体を装着し、軸筒の前部に先口を取り付け、把持体を軸筒と先口とで狭持して固定する方法、または、軸筒の外面に溝や凸部、軸径の大小部を直接形成する方法、または、軸筒の外面に二色成形等を用いて把持部を一体的に形成する方法等が一般的に用いられている。一方、使用者が筆記具を把持した際に掴み易く且つ筆記し易いかどうかについては、使用者の手の大きさ、握力、趣向、疲労状態等により変化する。このため、筆記具を把持した際の触感を任意に変えられるものが望まれるが、前述した把持部を形成する方法では、軸筒に把持部を一体的に設けている場合は把持感触を変更することは困難であり、また、軸筒と先口で把持体を狭持する方法でも、把持体を装着する向きは通常決まっており、把持した際の触感を変えるには新しい把持体を用意して付け替える必要があった。
【０００３】
これを解決する方法として、実開平６−５０８８４「筆記具における軸筒」には、把持部に外面処理の異なる環体を複数個、着脱自在に配置し、複数の環体を組み替えることにより、使用者の触感の好みに合わせて把持部を構成し、把持感触を変更することができる技術が開示されている。
【先行技術文献】
【特許文献】
【０００４】
【特許文献１】実開平６−５０８８４
【発明の概要】
【発明が解決しようとする課題】
【０００５】
しかしながら、実開平６−５０８８４「筆記具における軸筒」では、複数の環体を組み替えることで把持感触は使用者の好みに合わせることが可能であるが、組み替える際には先部材を外してから複数の環体を取り外したり、個々に凹凸嵌合ないし螺子嵌合等で固定されている複数の環体を軸筒から取り外してから組み替える必要があり手間が掛かっていた。
【０００６】
本発明は以上の知見からなされたものであって、軸筒から先口を取り外すことなく、使用者の好みによって把持した際の把持感触を容易に変更可能な筆記具を提供することである。
【課題を解決するための手段】
【０００７】
本発明は、
「１．軸筒と該軸筒の前部に係止された先口とを有し、前記軸筒の内部に配設され前記先口の前端開口部から前端部が突出する筆記体と、前記軸筒の外周部に配設された把持体と、を備えた筆記具であって、
前記把持体が円筒状の把持部と、前記把持部を固定する固定部とを有し、
前記軸筒の外面に、前記把持体が装着される装着部が形成されると共に、前記装着部に前記把持体の固定部に形成された係止部と係止する被係止部が形成され、
前記先口と前記軸筒とを係止させた状態で、前記先口と前記軸筒とが前記把持体の一方の開口部側から挿入され、前記軸筒の被係止部と前記把持体の係止部とを係止することで前記把持体を前記軸筒に対して着脱自在に構成すると共に、前記軸筒の被係止部と前記把持体の係止部との係止状態を解除して前記把持体を前記軸筒から取り外し、前記先口と前記軸筒とを前記把持体の他方の開口部側から挿入して前記軸筒の被係止部と前記把持体の係止部とを着脱自在に係止することで、前記軸筒に対して前記把持体を前後両方向から着脱可能に構成したことを特徴とする筆記具。
２．前記把持体の把持部の少なくとも一部がゴム弾性を有する合成樹脂で形成されると共に、前記把持体の固定部が複数の部材で構成され、前記把持部を複数の前記固定部で狭持して固定するよう構成したことを特徴とする前記１項に記載の筆記具。
３．前記把持体の固定部に形成する係止部を前後に分けて形成すると共に、前後それぞれの係止部と前記軸筒の装着部に形成した被係止部とを係止可能としたことを特徴とする前記１項または２項に記載の筆記具。
４．前記把持体の係止部と前記軸筒の被係止部とを螺合により係止したことを特徴とする前記１項ないし３項の何れか１項に記載の筆記具。
５．前記把持体の前後方向を逆にして前記軸筒に装着することで前記筆記具の重心位置が軸筒の軸方向に沿って前後に移動するよう構成したことを特徴とする前記１項ないし４項の何れか１項に記載の筆記具。
６．前記固定部を構成する複数の部材の内、少なくとも１部品以上が金属材料で形成されていることを特徴とする前記２項ないし５項の何れか１項に記載の筆記具。」である。
【０００８】
本発明によれば、先口と軸筒とが係止した状態で、把持体の一方の開口部または他方の開口部のどちら側からでも先口および軸筒を挿入して軸筒の装着部に対して着脱自在に構成してあることから、先口を外すことなく把持体を軸筒から取り外し、前後方向を逆にして再装着することができる。このため、把持感触や外観を使用者の好みに合わせて容易に変更することができる。
また、軸筒の装着部に形成した被係止部と把持体の内面に形成した係止部との係止手段としては、容易に着脱することができると共に、筆記時や持ち運び時に把持体に力が掛かっても簡単には外れることがないよう構成することが好ましく、その手段は特に限定されることはないが、例えば、係止部に雌螺子部を設け、被係止部に雄螺子部を設けて螺合により着脱不能に係止してもよく、係止部と被係止部とを乗り越え嵌合などでしっかり係止した後、係止部や被係止部に対して指で押圧する等、部分的に力を加えることで係止状態を解除可能に構成してもよい。
【０００９】
また、把持体の把持部の少なくとも一部がゴム弾性を有する合成樹脂で形成することが好ましく、これにより把持体を把持した際に把持部が撓むことでしっかり保持することができる。また、把持部を合成樹脂で一体的に形成する場合、把持体を軸筒に対して前後逆に係止することで把持感触が変わるように、把持部の前後の外径に径差をつけたり、曲率面と平面等、形状に差をつけたり、表面に凹凸部を設けて触感や滑り難さを変えてもよい。
尚、ゴム弾性を有する合成樹脂材料としては、例えば、シリコンゴム、熱可塑性エラストマー、ニトリルゴム、ウレタンゴム、イソチレンゴム、スチレンブタジエンゴム、エチレンプロピレンゴム等の中から選択することができる。
そして、本発明の筆記具を把持して筆記する際、把持体の把持部で把持してもよく、固定部を把持して筆記してもよい。そして、固定部の外周面には塗装や凹凸面（例えばローレット加工等）を施して外観性や滑り難さを向上させてもよい。
【００１０】
また、把持体の把持部は複数の固定部により狭持するよう構成することが好ましく、これにより、把持部の少なくとも一部をゴム弾性を有する合成樹脂で形成した際に、把持部が固定部により狭持されてしっかり固定されることから、把持部が把持体の中で前後にずれることを防止することができる。そして、把持体を軸筒からの取り外し、前後方向を逆にして再取り付けする動作がし易くなる効果を奏する。
【００１１】
更に、把持体の内周面に形成する係止部は、１箇所に形成してもよく、複数に分けて形成してもよいが、係止部を前後に分けて形成し、把持体を前後逆に取り付ける際に前後それぞれの係止部と被係止部とが係止可能に構成することが好ましい。
これは、係止部を１箇所で形成する場合、係止部は前後どちらからでも軸筒に装着できるよう把持体の前後方向における中間位置に形成する必要があり、係止部と被係止部とを係止させ難くなるが、係止部を把持体の前後に分けて形成する場合、係止部を把持体の両端部に近い位置に形成することができるため、加工及び組み立てが容易となるためである。
【００１２】
また、把持体の係止部と軸筒の被係止部との係止手段は、前述したように特に限定されることはないが、螺合を用いて係止することが好ましく、これは、本発明の筆記具を把持部で把持することで筆記をする場合、把持部を含め把持体には軸筒の軸方向に沿って筆記先端側に力が掛かるが、螺合で固定する場合、取り付け及び取り外し方向が軸筒の軸方向に対して略直交方向となるため、筆記時に把持体と軸筒との係止状態が緩んで外れやすくなることを防止できるためである。
尚、係止部と被係止部とを螺合により係止する場合、筆記時の振動により螺合状態が緩むことがないよう、緩み防止手段を設けることがより好ましく、その手段としては軸筒と把持体との間にゴム弾性を有する合成樹脂（例えば、ニトリルゴム、シリコンゴム、ウレタンゴム等で形成されたＯリング）等を挟むことで緩みを防止してもよい。
【００１３】
更に、軸筒に対する把持体の取り付け方向を前後逆にすることで筆記具の重心位置が変化するよう構成することが好ましく、この場合、先口を軸筒から外すことなく把持感触や外観を使用者の好みに合わせて容易に変更することができる。
【００１４】
そして、把持体の固定部を構成する複数の部材の内、少なくとも１部品以上が金属材料を用いて形成されることが好ましく、この場合、金属材料は比重が高いことから軸筒に対する把持体の取り付け方向を前後逆した際に重心位置を変化させ易くなると共に、表面に塗装やメッキ処理、ローレット加工等を施すことが容易となるため、外観性の向上や、把持感触、滑り難さ等を調整し易く、把持体を前後逆にした際の把持感触や外観に変化をつけ易い効果を奏する。
【発明の効果】
【００１５】
本発明によれば、軸筒から先口を取り外すことなく、使用者の好みによって把持した際の把持感触を容易に変更可能な筆記具を提供することができた。
【図面の簡単な説明】
【００１６】
【図１】実施例１のボールペンの側面図である。
【図２】実施例１のボールペンの縦断面図である。
【図３】把持体を分解した拡大側面図（一部断面図）である。
【図４】図１において、ボールペンレフィル（筆記体）を先口の前端開口部から前方へ突出させた状態を示す縦断面図である。
【図５】図１において、把持体を取り外した状態を示す説明図である。
【図６】図４において、把持体を前後逆にして付け替える状態を示す説明図である。
【図７】図１において、把持体を前後逆に付け替えた状態を示す側面図である。
【図８】図１において、把持体を前後逆に付け替えた状態を示す縦断面図である。
【発明を実施するための形態】
【００１７】
次に、図面を参照しながら本発明の筆記具１をボールペンを用いて詳細に説明するが、本発明は以下の実施例に限定されるものではない。
尚、本発明で、「前方」とは、筆記具における先口側を指し、「後方」とは、その反対側を指す。また、「内方」とは、軸筒の外周部から軸心に向かう方向を指し、「外方」とは、その反対方向を指す
【００１８】
実施例１
本実施例の筆記具１は、ノック式のボールペンであり、図１及び図２に示すように、軸筒２と、軸筒２内に前後に摺動可能に収納されたボールペンレフィル３（筆記体）と、ボールペンレフィル３の後方に配設された回転カム４と、回転カム４の後方に配置され軸筒２の後部開口部２ａから後方に向かって突出するノック体５と、軸筒２の側面に嵌着された金属製のクリップ６と、軸筒２の前部に軸周方向に取り囲むように配設された把持体７と、軸筒２の前部に螺合により着脱自在に係止された先口８と、により構成してある。
また、軸筒２は、軸筒本体９と、軸筒本体９の後部に着脱不能に嵌着された後軸体１０と、により構成してある。
【００１９】
ボールペンレフィル３は、図２に示すように、ＰＰ樹脂（比重：０．９０）からなるインキ収容筒１１に筆記具用インキ組成物を直接収容し、インキ収容筒１１の前端開口部にボール（φ０．７０ｍｍ）を回転自在に抱持したステンレス製（比重：７．８５）のボールペンチップ１２の後端部をインキ収容筒１１の前端部に圧入嵌合して得たものである。
【００２０】
軸筒本体９は、図１、図２、図４及び図５に示すように、ＰＣ樹脂（比重：１．２）を用いて筒状に形成され、前部外周面９ａに把持体７が装着される装着部９ｂが形成してある。また、装着部９ｂの後部には、後述する把持体７の係止部と係止する被係止部として第一の雄螺子部９ｃを形成し、更に、軸周方向に延びる溝部９ｄが形成してある。
そして、軸筒本体９の前部外周面には、第二の雄螺子部９ｅを形成してある。
【００２１】
把持体７は、図１から図５に示すように、筒状に形成されており、前後方向に貫通する内孔７ａを形成してある。また、把持体７の、前部開口部７ｂ（他方の開口部）の内面（内孔７ａの前部）には、軸筒本体９（軸筒２）の第一の雄螺子部９ｃ（被係止部）と係止するための係止部として前部雌螺子部７ｃが形成してあり、後部開口部７ｄ（一方の開口部）の内面（内孔７ａの後部）には、前部雌螺子部７ｃと同様に、軸筒本体９（軸筒２）の第一の雄螺子部９ｃ（被係止部）と係止するための係止部として後部雌螺子部７ｅを形成してある。
【００２２】
また、把持体７は、各々筒状に形成された第一の固定部材１３と第二の固定部材１４により把持部１５と継手１６とを狭持して嵌着することで一体に構成してある。
【００２３】
第一の固定部材１３について詳述すると、図１から図５に示すように、第一の固定部材１３は金属材料である黄銅（比重：８．４）を用いて筒状に切削加工後、表面にクロムメッキを施してあり、前部に比べて後部を径小に形成してある。また、後部外周面には、その前部に軸周方向に沿って延び、外方へ突出する第一の固定部１３ａを形成すると共に、その後部には軸周方向に延び、外方へ突出する後部係着部１３ｂを形成してある。また、前部内周面には前述した前部雌螺子部７ｃが形成してある。
【００２４】
第二の固定部材１４について詳述すると、図１から図５に示すように、金属材料である黄銅（比重：８．４）を用いて筒状に切削加工後、表面にクロムメッキを施してあり、後部に比べて前部を径小に形成してある。また、前部外周面には、その後部に軸周方向に沿って延びる段状の第二の固定部１４ａを形成すると共に、その前部には軸周方向に延び外方へ突出する前部係着部１４ｂを形成してある。更に、後部内周面には前述した後部雌螺子部７ｅを形成してある。
尚、第二の固定部材１４の後部外周面１４ｃには機械加工によりローレット加工を施すことで、指で把持した際に滑り難くしてある。
【００２５】
継手１６について詳述すると、図２から図５に示すように、継手１６は金属材料である黄銅（比重：８．４）を用いて筒状に形成してあり、前部内面に第一の固定部材１３の後部係着部１３ｂが着脱不能に圧入装着され、後部内面には第二固定部材１４の前部係着部１４ｂが着脱不能に圧入装着してある。
【００２６】
把持部１５について詳述すると、図１から図５に示すように、把持部１５は樹脂材料であるシリコンゴム（比重：１．２）を用いて筒状に形成してある。
尚、第一の固定部材１３と第二の固定部材１４とを継手１６を挟んで各々を圧入して係止することで、第一の固定部１３ａと第二の固定部１４ａと継手１６の外周面１６ａとが一体となり、把持部１５を狭持して装着する固定部７ｆとなる。
【００２７】
また、把持体７は係止部である後部雌螺子部７ｅと軸筒本体９の被係止部である第一の雄螺子部９ｃとを螺着することで軸筒本体９（軸筒２）の装着部９ｂに着脱自在に係止してあり、装着する際、軸筒本体９と把持体７との間にＯリング１７が挟まれ、つぶれることで後部雌螺子部７ｅと第一の雄螺子部９ｃとの螺着状態を強固にして把持体７が軸筒２から緩んで外れることを防止してある。
そして、図５に示すように、把持体７の後部開口部７ｅ（一方の開口部）の外径寸法Ｌ１と、前部開口部７ｂ（他方の開口部）の外径寸法Ｌ２とは、略同一の寸法で形成してある。
更に、軸筒本体８の中央外周部８ｄと把持体７の後部開口部７ｅの外径寸法Ｌ３を略同一に形成することで、把持体７の前後方向を入れ替えても軸筒本体８との各外周部が段差のない連続面となるよう形成してある。
【００２８】
また、第二の固定部材１４は、第一の固定部材１３及び継手１６と同様に比重の高い金属材料で形成されると共に、第一の固定部材１３及び継手１６に比して体積を大きく形成してあるため、把持体７の前後方向における重心は筆記具１の長手方向における中央付近に位置するよう構成してある。
【００２９】
尚、本実施例では、把持体７の固定部７ｆを３部品で構成した場合を例示したが、２部品で狭持させてもよく、４部品以上の部品を各々連結させて１体的に構成してもよく、１部品で把持体７の固定部７ｆを構成してもよい。そして、１部品で構成する場合は部品が減ることで組立工数が減りコストダウンが可能であり、２部品以上で把持部１５を狭持して固定することで把持部１５を柔らかい材質で形成しても固定部７ｆから把持部１５が脱落することを防止することができる。
また、本実施例では筒状の継手１６を用いているため、継手１６の長さを変えることで把持体７を長手方向に伸ばしたり短く形成することが容易である。更に、外観部品となる第一の固定部材１３及び第二の固定部材１４の全長を短く形成できるため、メッキや塗装等の加飾に掛かる費用を抑えることができると共に、化学処理や機械処理による外周面へのローレット加工、切削加工による成形等がし易くなることで製作時のコストを抑える効果を奏する。
【００３０】
次に、先口８について詳述すると、先口８は金属材料である黄銅（比重：８．４）を用いて形成してあり、図２に示すように、前部にボールペンレフィル３のボールペンチップ１２が前方に向かって突出可能な前端開口部８ａを形成してある。尚、前端開口部８ａの内径寸法は、ボールペンレフィル３が軸筒２内で前後に摺動可能になるように、ボールペンチップ１２の外径寸法より若干大きく形成してある。
また、先口８の後部内面には、軸筒本体９の雄螺子部９ｃと着脱自在に螺合により係止する雌螺子部８ｂが形成してあり、更に、先口８の内面に形成された内段部８ｃとボールペンレフィル３の外段部３ａとの間にコイルスプリング１８を張架することで、コイルスプリング１８によりボールペンレフィル３を後方に弾発してある。
【００３１】
また、後軸体１０について詳述すると、後軸体１０はＰＣ樹脂（比重：１．２）を用いて形成してある。そして、図１に示すように、後軸体１０は前筒部１０ａと後筒部１０ｂで構成されており、前筒部１０ａは後筒部１０ｂより小径で形成してある。更に、前筒部１０ａには外方に突出する係止突部１０ｃが形成してあり、係止突部１０ｃと軸筒本体９の内面に形成した係止凹部９ｆとを係着することで、軸筒本体９に後軸体１０を着脱不能に嵌着し、軸筒本体９と後軸体１０とで軸筒２を構成してある。
また、後筒部１０ｂの外周面には外方に突出する突起部１０ｄを形成してあり、突起部１０ｄにクリップ６を嵌着し固定してある。
【００３２】
更に、後軸体１０の内部には、ノック操作によりボールペンレフィル３を先口８の前部開口部８ａから出没させる一般的にボールペンで使用されている回転カム機構１９を形成してある。
【００３３】
回転カム機構１９には、軸筒２の内部に配設したボールペンレフィル３の出没切替のための回転カム４と、後軸体１０の内周面に回転カム４に係合するカム溝１０ｅと、を設けてある。そして、ボールペンレフィル３の前端が軸筒２内に没入した状態（図１参照）でノック体５が前方へ押圧操作（ノック操作）されると、ノック体５に押されて回転カム４がカム溝１０ｅに沿って前方へ摺動し、回転カム４に押されたボールペンレフィル３の前端が先口８の前端開口部８ａから前方へ突出され、更に、回転カム機構１９の作用により回転カム４が回転されることによって、回転カム４は軸筒本体９の内段に当接して軸方向後方への相対移動が禁止され、押圧操作の終了後もボールペンレフィル３の前端の突出状態が維持される図４の状態となる。
また、図４のボールペンレフィル３の前端が突出した状態で、再度ノック体５が前方へ押圧操作（ノック操作）されると、回転カム機構１９の作用によって回転カム４の軸方向後方への相対移動が許容され、コイルスプリング１８の弾発力によってボールペンレフィル３及びノック体５が軸方向後方に押し戻されて初期状態（図１の状態）に復帰するように構成してある。
尚、ノック体５はＡＢＳ樹脂（比重：１．０５）を用いて形成し、回転カム４はＰＯＭ樹脂（比重：１．４）を用いて形成してある。
【００３４】
ここで、図２及び図４から図８を用いて把持体７の前後方向を入れ替え、軸筒本体９（軸筒２）の前部外周面９ａの装着部９ｂに取り付けることで把持感触、筆記感及び重心位置が変化することを説明する。
図２に示すように、把持体７は軸筒本体９（軸筒２）の装着部９ｂに螺着されており、軸筒本体９に対して把持体７を反時計回り（左回し）することで、把持体７の後部雌螺子部７ｅと軸筒本体９の第一の雄螺子部９ｃとの螺合を解除し、その状態で、軸筒２に対して把持体７を前方へ引き抜くことで先口８を取り外すことなく容易に把持体７を軸筒２から取り外すことができる。（図５の状態）
図５の状態で、図６のように把持体７の前後方向を逆にして先口８と軸筒２とを把持体７の前部開口部から再挿入し、軸筒本体の第一の雄螺子部９ｃと把持体７の前部雌螺子部７ｃとを螺着することで把持体７を軸筒２に先口８を取り外すことなく容易に取り付けることができる。（図７及び図８の状態）
【００３５】
この時、最重量部である金属製の第二の固定部材１４が把持体７における後方側から前方側に移動することで筆記具１の重心位置が軸筒２の前方側へ移動するため、筆記先端のブレが小さくなることで筆記動作が安定する。そして、把持体７の第二の固定部材１４が手で把持する際の把持位置に移動し、第二の固定部材１４の表面には機械的処理によるローレット加工を施してあることから滑り難くしっかり把持することができると共に筆圧をかけて筆記したい場合等に使用し易いものとなる。逆に、重量部である第二の固定部１４が後方側にある図１の状態では、筆記具１の重心位置が軸筒２の中央付近に位置するため、筆記先端部が動かし易くなることで小さな文字を書いたり、軽く握って筆記したい場合に使い易いものとなる。また、この際、シリコンゴムで形成した把持体７の把持部１５が把持位置にあるため、軽く把持して筆記しても滑り難いものとなった。
尚、具体的に、本実施例における筆記具１の筆記時の重心位置は、把持体７が図４の向きにある場合は、ボールペンチップ１２のボールの先端から５３．３ｍｍ、把持体の前後方向を逆にして再装着した場合では、ボールペンチップ１２のボールの先端から４７．８ｍｍとなるため、図１の状態から図７のように把持体７の前後方向を入れ替えることで重心が前方側へ移動し、これにより把持感触が変化した。
【００３６】
また、本実施の形態では、便宜上、回転カムを用いたノック式ボールペンを例示してあるが、他の繰り出し構造を有するノック式筆記具やキャップ式筆記具にも広く実施することができる。
【符号の説明】
【００３７】
１…筆記具、
２…軸筒、２ａ…後部開口部、
３…ボールペンレフィル、３ａ…外段部、
４…回転カム、
５…ノック体、
６…クリップ、
７…把持体、７ａ…内孔、７ｂ…前部開口部（一方の開口部）、
７ｃ…前部雌螺子部（係止部）、７ｄ…後部開口部（他方の開口部）、
７ｅ…後部雌螺子部（係止部）、７ｆ…固定部、
８…先口、８ａ…前端開口部、８ｂ…雌螺子部、８ｃ…内段部、８ｄ…中央外周部
９…軸筒本体、９ａ…前部外周面、９ｂ…装着部、９ｃ…第一の雄螺子部（被係止部）、
９ｄ…溝部、９ｅ…第二の雄螺子部、９ｆ…係止凹部、
１０…後軸体、１０ａ…前筒部、１０ｂ…後筒部、１０ｃ…係止突部、
１０ｄ…突起部、１０ｅ…カム溝、
１１インキ収容筒、
１２…ボールペンチップ、
１３…第一の固定部材、１３ａ…第一の固定部、１３ｂ…後部係着部、
１４…第二の固定部材、１４ａ…第二の固定部、１４ｂ…前部係着部、
１５…把持部、
１６…継手、１６ａ…外周面、
１７…Ｏリング、
１８…コイルスプリング、
１９…回転カム機構。
【図１】
2020001350.tif 000003
【図２】
2020001350.tif 000004
【図３】
2020001350.tif 000005
【図４】
2020001350.tif 000006
【図５】
2020001350.tif 000007
【図６】
2020001350.tif 000008
【図７】
2020001350.tif 000009
【図８】
2020001350.tif 000010